(57)【要約】【課題】  濾過袋内にコーヒー粉末を入れて注湯することにより、コーヒーを抽出するコーヒー抽出器であって、構造が簡単で多量生産に適すると共に使用時にコーヒーカップの口径の大小に応じて簡単且つ確実にセットできるようにする。【解決手段】  前後支持壁片１、１の上端両側部を互いに一体に接合、接着した耳部２、２に形成してこの耳部２、２を互いに引き寄せる方向に移動させることにより、その下端部に設けている谷折目６、６を介して前後支持壁片１、１を互いに離間する方向に凸円弧状に湾曲、拡開させ、これらの支持壁片１、１の下端部に設けている横長スリット部４の下端縁部によって形成した下側係止部4aをコーヒーカップＡの口縁部外周面に係止させると共に、スリット部４の上端縁部によって形成した上側係止部4bをコーヒーカップＡの口縁部内周面に係止させるように構成している。【選択図】    図１
2006288503.tif 000002
【特許請求の範囲】
【請求項１】
互いに重なりあった前後一対の紙製支持壁片の対向面間に紙製フイルターからなる濾過袋を折り畳み状態で配設してなるコーヒー抽出器であって、上記一対の支持壁片の上端縁における両側端部を折り重ね状態で一体に連設してその連設部を耳部とし、この両側耳部間における互いに重なりあった上記両支持壁片の上端縁部によって、両側耳部を互いに引き寄せる方向に移動させた際に前後方向に拡開する注湯口を形成していると共に、この注湯口の口縁に上記濾過袋の開口端を注湯口と一体に拡開可能に取り付けてあり、さらに、両支持壁片の下端部に両側端から中央部に向かって下向き円弧状に湾曲した横長のスリット部を形成してこのスリット部の上端縁部をカップの内面に係止する係止片部に、スリット部の下端縁部をカップの外面に係止する係止片部に形成していることを特徴とするコーヒー抽出器。
【請求項２】
両耳部にその内側端部の上端部から外側端縁部の下端部に向かって斜め外方に傾斜した谷折目を形成し、この谷折目と上端縁間の両支持壁片の耳部の対向面を一体に接着していると共に谷折目を支点として両支持壁片を外方に向かって凸円弧状に拡開させるように構成したことを特徴とする請求項１に記載のコーヒー抽出器。
【請求項３】
一対の支持壁片の外形を動物の顔の輪郭形状に形成していると共に、両支持壁片に設けている横長スリット部を口部とし、このスリット部の上方部に目部となる左右一対の透孔を設けていることを特徴とする請求項１に記載のコーヒー抽出器。
【発明の詳細な説明】
【技術分野】
【０００１】
本発明は、コーヒーカップの口縁にセットして注湯することにより、簡単にコーヒーを抽出することができる紙製の使い捨て簡易コーヒー抽出器に関するものである。
【背景技術】
【０００２】
従来から、この種のコーヒー抽出器としては種々の形状、構造のものが開発されているが、通常、特許文献１に記載されているように、使用前には偏平状に折り畳まれている角筒状の支持体と、この支持体内に同じく折り畳まれた状態で配設されてその上端開口縁を支持体の上端口縁部に一体に取り付けられて封止している袋状フィルターと、支持体の下端部に下方に向かって一体に突設している係止脚片とからなり、使用時には、袋状フィルターを開封したのち、支持体を角筒状に拡開させてその下端四方から下方に突設している係止脚片をコーヒーカップの口縁に係止させ、支持体の拡開によって一体的に拡開した上記袋状フィルター内に注湯し、この袋状フィルターに収納しているコーヒー粉末からコーヒーを抽出するように構成したコーヒー抽出器が広く知られている。
【特許文献１】特開平１１−１７８７１９号公報
【発明の開示】
【発明が解決しようとする課題】
【０００３】
しかしながら、上記コーヒー抽出器は、横長の帯状厚紙に長さ方向に所定間隔毎に折目を設けると共に下端部の所定部分に切り目を介して上記係止脚片を形成し、この帯状厚紙の両端を無端状に接続したのち、折り目を介して偏平な角筒状に折り畳むことにより上記支持体を形成しているものであるから、折り目や切り目の形成、帯状厚紙を無端状に接続する作業、偏平角筒状に折り畳む作業等を必要として製作が煩雑となると共に製品もコスト高になる虞れがある。
【０００４】
さらに、コーヒーカップの口縁に係止させる隣接する係止脚片間の幅間隔が一定に形成されているので、口径の小さいコーヒーカップに対しては係止脚片はカップの口縁に係止することなくその下端面をカップの口縁上に単に載せた状態となって抽出器全体がカップの口縁上で前後左右に滑るといった不安定な設置形態となり、また、口径の大きいコーヒーカップに対しては全ての係止脚片を係止させることが困難となる事態が発生する。
【０００５】
本発明はこのような問題点に鑑みてなされたもので、その目的とするところは、構造が簡単で多量生産に適すると共に、コーヒーカップの口径の大小に応じてその拡開の度合いを大小に変化させながらカップの口縁に簡単且つ確実に係止させることができる紙製の簡易コーヒー抽出器を提供するにある。また、本発明の別な目的は、全体が動物の顔の形態を呈した趣に富んだ外観を有し、且つ顔の各部に抽出器としての優れた機能を発揮させるようにしたコーヒー抽出器を提供するにある。
【課題を解決するための手段】
【０００６】
上記目的を達成するために本発明の表コーヒー抽出器は、請求項１に記載したように、互いに重なりあった前後一対の紙製支持壁片の対向面間に紙製フイルターからなる濾過袋を折り畳み状態で配設してなるコーヒー抽出器であって、上記一対の支持壁片の上端縁における両側端部を折り重ね状態で一体に連設してその連設部を耳部とし、この両側耳部間における互いに重なりあった上記両支持壁片の上端縁部によって、両側耳部を互いに引き寄せる方向に移動させた際に前後方向に拡開する注湯口を形成していると共に、この注湯口の口縁に上記濾過袋の開口端を注湯口と一体に拡開可能に取り付けてあり、さらに、両支持壁片の下端部に両側端から中央部に向かって下向き円弧状に湾曲した横長のスリット部を形成してこのスリット部の上端縁部をカップの内面に係止する係止片部に、スリット部の下端縁部をカップの外面に係止する係止片部に形成していることを特徴とする。
【０００７】
このように構成したコーヒー抽出器において、請求項２に係る発明は、上記両耳部にその内側端部の上端部から外側端縁部の下端部に向かって斜め外方に傾斜した谷折目を形成し、この谷折目と上端縁間の両支持壁片の耳部の対向面を一体に接着していると共に谷折目を支点として両支持壁片を外方に向かって凸円弧状に拡開させるように構成したことを特徴とする。
【０００８】
また、請求項３に係る発明は、上記両支持壁片の外形を動物の顔の輪郭形状に形成していると共に、両支持壁片における上記横長スリット部を口部とし、このスリット部の上方部に目部となる左右一対の透孔を設けていることを特徴とする。
【発明の効果】
【０００９】
請求項１に記載のコーヒー抽出器によれば、前後一対の紙製支持壁片の対向面間に紙製フイルターからなる濾過袋を折り畳み状態で配設してなるコーヒー抽出器であって、上記一対の支持壁片の上端縁における両側端部を折り重ね状態で一体に連設してその連設部を耳部とし、この両側耳部間における互いに重なりあった上記両支持壁片の上端縁部によって、両側耳部を互いに引き寄せる方向に移動させた際に前後方向に拡開する注湯口を形成しているので、一対の支持壁片間に濾過袋を折り畳み状態で介在させた簡単な構造であるから、製作が容易で安価に且つ多量生産に適すると共に、使用前には厚みの薄い折り畳み形態を維持して保管等が容易となる。
【００１０】
さらに、使用に際して、一対の支持壁片間を連設させている両側耳部を人手によって互いに引き寄せる方向に移動させると、これらの支持壁片が耳部の引き寄せ方向に対して直角方向に耳部を支点として凸円弧状に湾曲しながら拡開し、この拡開によって両支持壁片の下端部を円形状に湾曲させることができる。この場合、両側耳部の引き寄せ量の大小、即ち、これらの耳部間の間隔の大小に応じて両支持壁片の上記拡開度を大小に変化させることができるので、拡開によって円形状に湾曲する両支持壁片の下端部をコーヒーカップの口径の大小に応じて簡単且つ正確に合わせることができる。
【００１１】
その上、両支持壁片の下端部に両側端から中央部に向かって下向き円弧状に湾曲した横長のスリット部を形成してこのスリット部の上端縁部をカップの内面に係止する係止片部に、スリット部の下端縁部をカップの外面に係止する係止片部に形成しているので、カップの口径に応じて両支持壁片間の拡開度を変化させながらカップの口縁における直径方向に対向する内外周面にこれらの両支持壁片の上下係止片部を挟持状態にして確実に係止させることができ、カップの口縁上に安定した立設状態でセットすることができる。
【００１２】
さらに、上記両支持壁片の上端縁部によって、両側耳部を互いに引き寄せる方向に移動させた際に前後方向に拡開する注湯口を形成していると共に、この注湯口の口縁に上記濾過袋の開口端を取り付けているので、両支持壁片を拡開させると同時にこの濾過袋も開口させることができ、濾過袋内に所定量の粉末コーヒを収納して注湯することにより、簡単にコーヒーを抽出することができる。
【００１３】
また、請求項２に係る発明によれば、上記両耳部に谷折目を形成し、この谷折目と耳部の上端縁間の両支持壁片の耳部対向面を一体に接着しているので、使用時に上述したように両側の耳部を互いに引き寄せると、両支持壁片をこの谷折目から簡単且つ確実に凸円弧状に湾曲させながら離間させることができると共に、この谷折目は耳部の内側端部の上端部から外側端縁部の下端部に向かって斜め外方に傾斜しているので、これらの谷折目から上述したように両支持壁片を互いに離間する方向に屈折させて凸円弧状に湾曲させた際に、両支持壁片を上端の注湯口側から下端に向かって斜め外方に拡開した状態となるように湾曲させることができる。
【００１４】
従って、両支持壁片の下端部に形成している横長のスリット部の下端縁部が上端縁部よりも外側に位置するように湾曲してこの両支持壁片の下端部をコーヒーカップの口縁の外周面に被せた時に、コーヒーカップの口縁の径の大小にかかわらず、スリット部の下端縁部によって形成している係止片部をコーヒーカップの口縁の外周面に係止させ、スリット部の上端縁部によって形成している係止片部をコーヒーカップの内周面に簡単且つ自動的に係止させることができる。
【００１５】
上記のように構成したコーヒー抽出器において、請求項３に係る発明によれば、一対の支持壁片の外形を動物の顔の輪郭形状に形成していると共に、両支持壁片に設けている横長スリット部を口部とし、このスリット部の上方部に目部となる左右一対の透孔を設けているので、両支持壁片が動物の顔の外観を呈した趣のある形状に形成することができるばかりでなく、支持壁片の上端縁の両側端部に形成している上記耳部が、使用時における両支持壁片の拡開用耳部の機能を発揮し、横長スリット部からなる口部が上記のようにコーヒーカップの口縁部の内外周面に該口縁部を挟持するように係止してコーヒー抽出器をコップ上に安定した状態で設置する機能を果たし、上記透孔からなる目部がこの目部を通じて外部からコップ内のコーヒ抽出状態や抽出液量を容易に確認することができる機能を奏する。
【発明を実施するための最良の形態】
【００１６】
次に、本発明のコーヒー抽出器の実施の形態を図面について説明すると、図１は使用前の斜視図、図２はその縦断側面図、図３は使用時に注湯口を拡げた状態の斜視図、図４はコーヒーカップＡ上に設置した状態の縦断側面図であって、このコーヒー抽出器は横幅がコーヒーカップＡの径よりも大きい同一形状を有する前後一対の紙製の支持壁片１、１と、これらの支持壁片１、１の対向面間に配設している不織布製のフィルターからなる濾過袋８とを備え、前後支持壁片１、１は、その上端縁における両側端部を互いに折り重ねた状態で一体に連設してこの連設部を耳部２、２に形成していると共に耳部２、２以外の外周端縁間は分離していて、これらの耳部２、２を互いに引き寄せ合う方向に移動させた時に、この両耳部２、２を支点として支持壁片１、１が図３、図４に示すように、互いに離間する方向に拡開するように形成してあり、この拡開によって上記一対の支持壁片１、１における両耳部２、２の内側端間の互いに前後方向に離間する上端縁で注湯口３を形成するように構成している。
【００１７】
さらに、両支持壁片１、１の下端部には、両側端から中央部に向かって下向き円弧状に湾曲した横長のスリット部４、４を形成してあり、上述したように使用時においてこれらの両支持壁片１、１を拡開させた時に、このスリット部４の下端縁部がコーヒーカップＡの外周面に係止する下側係止片部4aに、上端部がコーヒーカップＡの内周面に係止する上側係止片部4bに形成している。また、支持壁片１、１の対向面間に配設している濾過袋８は偏平状の折り畳まれていると共に、その上端口縁部を上記注湯口３を形成する両支持壁片１、１の上端縁部の中央部に接着等によって取り付けられていて、注湯口３の形成と同時にその上端部を開口させるようにしている。
【００１８】
上記支持壁片１の形状の具体例を更に詳しく説明すると、この支持壁片１は弾性的に湾曲変形可能な紙製であって、その上部における両側端部に形成している上記両耳部２、２は、その上端を一定幅を有する水平な上端縁1a、1aに形成していると共にこれらの両側水平上端縁1a、1aの内端間における支持壁片１の上端縁部を該内端から下方に向かって円弧状に湾曲した下向き湾曲上端縁部1bに形成してあり、さらに、上記水平上端縁1a、1aの外端から下方に屈折している支持壁片１の上部両側端縁部を下方に向かって斜め内方に傾斜した傾斜側端縁部1c、1cに形成し、この傾斜側端縁部1c、1cと上記湾曲上端縁部1bの両側上部間で耳部２、２を形成している。
【００１９】
さらに、支持壁片１の上部両側端縁部に形成している傾斜側端縁部1c、1cの下端から支持壁片１の両側下端に至る該支持壁片１の下部両側端縁を外側方に向かって凸円弧状に湾曲した湾曲側端縁部1d、1dに形成していると共にこれらの両湾曲側端縁部1d、1dの下端間の支持壁片１の下端縁を下方に向かって緩やかに湾曲した下向き円弧状下端縁部1eに形成している。従って、この支持壁片１は、上記両耳部２、２間の下方に向かっ円弧状に湾曲した下向き湾曲上端縁部1bによって動物の顔の額部の輪郭を、外側方に向かって凸円弧状に湾曲した両側の湾曲側端縁部1d、1dによって頬部の輪郭を、下向き円弧状下端縁部1eによって顎部の輪郭を形成している。
【００２０】
また、支持壁片１の下端部に設けた上記横長のスリット部４における下向き円弧状に湾曲した上記上下端縁部において、コーヒーカップＡの外周面に係止させる係止片部4aを形成している下端縁部は、支持壁片１の上記下向き円弧状下端縁部1eと略同一の湾曲度でもって緩やかに湾曲している一方、コーヒーカップＡの内周面に係止させる上側係止片部4bを形成している上端縁部は、下端縁部よりも下向き湾曲度を大きくして下方に突出した突片形状としてコーヒーカップＡの内周面への係止が容易に行えるように形成している。従って、スリット４は、その中央部の上下端縁間の幅が狭くこの中央部から両端に向かって徐々に幅広くなり且つ上方に緩やかに湾曲した形状に形成され、このスリット４によって半開き状の動物の口部を形成している。さらに、この口部の両端部を支点としてコーヒーカップＡの外周面に係止させる上記下側係止片部4aは前後方向に弾性的な可撓性を有している。
【００２１】
さらに、支持壁片１において、このスリット４と上記下向きに湾曲した上端縁部1bとの間の両側部、即ち、支持壁片１の上部両側に動物の目に相当する左右一対の円形状の透孔５、５を形成している。
【００２２】
上記両側の耳部２、２はその内側端部の上端部、即ち、支持壁片１の上記下向き湾曲上端縁部1bの側端部における上端部から、外側端部の下端部、即ち、支持壁片１の上部両側端に形成している傾斜側端縁部1cの下端部に向かって斜め外方に傾斜した谷折目６、６を形成してあり、互いに重ね合わせた前後支持壁片１、１の耳部２におけるこの谷折目６と上端縁1a間の対向面を接着剤によって一体に接着し、それ以外の前後支持壁片１、１の周端縁は分離している。従って、前後支持壁片１、１はこれらの支持壁片１、１が互いに連設した耳部２の上端縁1aからではなく、耳部２、２の下端部側に設けたこの谷折部６、６から外側に向かって凸円弧状に拡開するように構成されている。
【００２３】
また、両支持壁片１、１における上記下向き湾曲上端縁部1bの中央部には上端が水平端に形成している一定高さを有する突片部７、７を突設してあり、両支持壁片１、１間に折り畳み状態で介在、配設している上記濾過袋８の互いに重なりあった開口端における前後上端縁部をこれらの前後突片部７、７の水平な上端部にそれぞれ一体に接着している。なお、濾過袋８は熱融着可能な不織布製であって、その開口端における前後上端縁部間の数カ所を点状に熱融着して開封可能に封止しているが、このような熱融着に代えて、前後突片部７、７間を適宜なテープ状のシール材等（図示せず）によって開封可能に封止しておいてもよい。
【００２４】
このように、構成したコーヒー抽出器の使用態様を説明すると、濾過袋８の開口端を開封したのち、両側の耳部２、２を摘んでこれらの耳部２、２を互いに接近する方向に引き寄せる。そうすると、両耳部２、２の下端部に設けている谷折目６、６を支点として前後支持壁片１、１は、図３に示すように互いに離間する方向、即ち、前側の支持壁片１は前方側に向かって、後側の支持壁片１は後方側に向かってそれぞれ凸円弧状に撓み変形しながら拡開すると共に支持壁片１、１の下向き湾曲上端縁部1b、1b間によって形成している注湯口３も同時に拡開する。
【００２５】
さらに、上記谷折目６、６は内側から外側に向かって斜め下方に傾斜しているので、両支持壁片１、１を上述したようにその両側端縁から幅方向の中央部に向かって凸円弧状に湾曲させると、両支持壁片１、１は上端の注湯口３側、即ち、下向き湾曲上端縁部1b、1bから下向き円弧状下端縁部1e、1eに向かうに従って、斜め外方に拡開して両支持壁片１、１間の拡がりが大きくなる。
【００２６】
このように拡開状態に状態にしてコーヒーカップＡの上方からその外方に向かって凸円弧状に湾曲した両支持壁片１、１の下向き円弧状下端縁部1e、1eをコーヒーカップＡの口縁における直径方向に対向する口縁部分の外周面に被せる。この際、前後支持壁片１、１間の拡開度合いは、両耳部２、２間の引き寄せ距離の大小比例して大小に変化するので、コーヒーカップＡの口縁部の径の大小に応じて両耳部２、２間の引き寄せ量を調整することにより、簡単且つ正確にコーヒーを抽出すべきコーヒーカップＡの口縁部上に合わせることができる。
【００２７】
両支持壁片１、１の下向き円弧状下端縁部1e、1eをコーヒーカップＡの口縁部分の外周面に被せたのち、さらに僅かに下方に移動させると、スリット部４の下側係止片部4aがコーヒーカップＡの口縁部外周面に弾性的に密接、係止し、コーヒーカップＡの口縁部がスリット部４内に突出した状態となると共に、上述したように、両支持壁片１、１は上端の注湯口３側から上記下向き円弧状下端縁部1e、1eに向かうに従って斜め外方に拡開しているので、上記下側の係止片部4aよりも上側の係止片部4bが内方、即ち、コーヒーカップＡの中心寄りに位置するようになって、コーヒーカップＡの口縁の内周面上方に対向した状態となる。
【００２８】
従って、この状態からコーヒー抽出器全体をさらに下方に移動させると、両支持壁片１、１のスリット部４、４における上記上側係止片部4b、4bは、図４、図５に示すように、コーヒーカップＡの内周面側に入り込んでその外周面をコーヒーカップＡの口縁における直径方向に対向する口縁部分の内周面に密接、係止し、上記下側係止片部4a、4aと共にコーヒーカップＡの口縁部を内外から挟持した状態となって、コーヒーカップＡ上に起立状態でセットすることができる。
【００２９】
こうして、コーヒー抽出器をコーヒーカップＡ上にセットしたのち、拡開している濾過袋８内にコーヒー粉末を適量入れ、しかるのち、注湯口３上から注湯することにより、コーヒーカップＡ内に液状のコーヒーを抽出する。この際、前後支持壁片１、１におけるスリット部４、４の上方部には、動物の顔の目に相当した透孔５、５を穿設しているので、この透孔５、５を通じてコーヒーカップＡ内に抽出されるコーヒーの抽出状態や抽出量を目視することができ、所定量のコーヒーが抽出されるとこのコーヒー抽出器をコーヒーカップＡから取り外して廃棄する。なお、本発明のコーヒー抽出器は、コーヒー以外に紅茶やお茶の抽出にも使用できることは勿論である。
【図面の簡単な説明】
【００３０】
【図１】本発明のコーヒー抽出器の使用前の斜視図。
【図２】その縦断側面図。
【図３】拡開させた状態の斜視図。
【図４】コーヒーカップ上に設置した状態の縦断側面図。
【図５】抽出している状態の斜視図。
【符号の説明】
【００３１】
１  支持壁片
２  耳部
３  注湯口
４  スリット部
4a  下側係止片部
4b  上側係止片部
５  透孔
６  谷折目
８  濾過袋
【図１】
2006288503.tif 000003
【図２】
2006288503.tif 000004
【図３】
2006288503.tif 000005
【図４】
2006288503.tif 000006
【図５】
2006288503.tif 000007